【手続補正書】
【提出日】平成18年4月25日(2006.4.25)
【手続補正１】
【補正対象書類名】特許請求の範囲
【補正対象項目名】全文
【補正方法】変更
【補正の内容】
【特許請求の範囲】
【請求項１】
電源バックアップがない時計手段と、該手段の時刻が予め指定された送信時刻に達したとき、所要の情報を通信回線経由で管理装置へ送信する情報送信手段とを有する被管理装置であって、
電源投入後、前記時計手段に仮時刻を設定する仮時刻設定手段と、
該手段による仮時刻設定後、外部から時刻を取得する時刻取得手段と、
前記時計手段の仮時刻を前記時刻取得手段によって取得した時刻に補正する時計時刻補正手段と
を設けたことを特徴とする被管理装置。
【請求項２】
請求項１記載の被管理装置において、
記憶手段と、
所要の情報を前記時計手段の時刻と関連付けて前記記憶手段に書き込む情報書込手段と、
前記時刻取得手段によって取得した時刻と前記時計手段の仮時刻とに基づいて前記記憶手段内の各種情報にそれぞれ関連付けられた各時刻を補正する情報時刻補正手段とを設け、
前記情報送信手段は、前記情報時刻補正手段による時刻補正が完了した後、前記記憶手段内の各種情報のうち、前記送信時刻に最も近い時刻が関連付けられている情報を前記管理装置へ送信する手段を有することを特徴とする被管理装置。
【請求項３】
請求項２記載の被管理装置において、
前記情報書込手段は、前記時計時刻補正手段による時刻補正が完了する前に、所要の情報を前記記憶手段に書き込む際には、該情報を前記時計手段の仮時刻と関連付けて前記記憶手段に書き込むことを特徴とする被管理装置。
【請求項４】
請求項３記載の被管理装置において、
他の被管理装置から定期的に所要の情報を取得する情報取得手段を設け、
前記情報書込手段は、前記時計時刻補正手段による時刻補正が完了する前に、前記情報取得手段による情報の取得が行われた場合には、該情報を前記時計手段の仮時刻と関連付けて前記記憶手段に書き込むことを特徴とする被管理装置。
【請求項５】
請求項２乃至４のいずれか一項に記載の被管理装置において、
前記情報時刻補正手段は、前記時刻取得手段によって取得した時刻と前記時計手段の仮時刻との時間差を算出する時間差算出手段を有し、該手段によって算出された時間差に基づいて前記記憶手段内の各種情報にそれぞれ関連付けられた各時刻を補正することを特徴とする被管理装置。
【請求項６】
請求項２乃至５のいずれか一項に記載の被管理装置において、
前記情報時刻補正手段による時刻補正が完了するまで、前記情報送信手段による前記記憶手段内の各種情報の送信を禁止する送信禁止手段を設けたことを特徴とする被管理装置。
【請求項７】
請求項１乃至６のいずれか一項に記載の被管理装置において、
前記時刻取得手段は、前記管理装置又は他の被管理装置から時刻を取得する手段であることを特徴とする被管理装置。
【請求項８】
請求項７記載の被管理装置において、
前記時刻取得手段は、時刻取得要求を前記管理装置又は他の被管理装置へ通知する手段と、該手段によって前記管理装置又は他の被管理装置へ通知すべき時刻取得要求を構造化言語形式に変換する手段とを有することを特徴とする被管理装置。
【請求項９】
管理装置により通信回線および仲介装置経由で複数の各被管理装置を遠隔管理する遠隔管理システムであって、
前記仲介装置に、電源バックアップがない時計手段と、記憶手段と、前記各被管理装置から定期的に所要の情報を取得する情報取得手段と、該手段によって取得した情報を前記時計手段の時刻と関連付けて前記記憶手段に書き込む情報書込手段と、前記時計手段の時刻が予め指定された送信時刻に達したとき、前記記憶手段内の対応する情報を前記管理装置へ送信する情報送信手段と、電源投入後、前記時計手段に仮時刻を設定する仮時刻設定手段と、該手段による仮時刻設定後、前記管理装置から時刻を取得する時刻取得手段と、前記時計手段の仮時刻を前記時刻取得手段によって取得した時刻に補正する時計時刻補正手段とを設けたことを特徴とする遠隔管理システム。
【請求項１０】
請求項９記載の遠隔管理システムにおいて、
前記仲介装置に、前記時刻取得手段によって取得した時刻と前記時計手段の仮時刻とに基づいて前記記憶手段内の各種情報にそれぞれ関連付けられた各時刻を補正する情報時刻補正手段を設け、
前記仲介装置の情報送信手段は、前記情報時刻補正手段による時刻補正が完了した後、前記記憶手段内の各種情報のうち、前記送信時刻に最も近い時刻が関連付けられている情報を前記管理装置へ送信する手段を有することを特徴とする遠隔管理システム。
【請求項１１】
請求項１０記載の遠隔管理システムにおいて、
前記仲介装置の情報書込手段は、前記時計時刻補正手段による時刻補正が完了する前に、前記情報取得手段による情報の取得が行われた場合には、該情報を前記時計手段の仮時刻と関連付けて前記記憶手段に書き込むことを特徴とする遠隔管理システム。
【請求項１２】
請求項１０又は１１記載の遠隔管理システムにおいて、
前記仲介装置の情報時刻補正手段が、前記時刻取得手段によって取得した時刻と前記時計手段の仮時刻との時間差を算出する時間差算出手段を有し、該手段によって算出された時間差に基づいて前記記憶手段内の各種情報にそれぞれ関連付けられた各時刻を補正することを特徴とする遠隔管理システム。
【請求項１３】
請求項１０乃至１２のいずれか一項に記載の遠隔管理システムにおいて、
前記仲介装置に、前記情報時刻補正手段による時刻補正が完了するまで、前記情報送信手段による前記記憶手段内の各種情報の送信を禁止する送信禁止手段を設けたことを特徴とする遠隔管理システム。
【請求項１４】
請求項９乃至１３のいずれか一項に記載の遠隔管理システムにおいて、
前記仲介装置の時刻取得手段は、時刻取得要求を前記管理装置へ通知する手段と、該手段によって前記管理装置へ通知すべき時刻取得要求を構造化言語形式に変換する手段とを有することを特徴とする遠隔管理システム。
【請求項１５】
電源バックアップがない時計手段と、記憶手段とを有する被管理装置を制御するコンピュータに、電源投入後、前記時計手段に仮時刻を設定する仮時刻設定機能と、該機能による仮時刻設定後、外部から時刻を取得する時刻取得機能と、前記時計手段の仮時刻を前記時刻取得機能によって取得した時刻に補正する時計時刻補正機能と、該機能による時刻補正が完了した後、前記時計手段の時刻が予め指定された送信時刻に達したとき、前記記憶手段内の所要の情報を通信回線経由で管理装置へ送信する情報送信機能とを実現させるためのプログラム。
【請求項１６】
電源バックアップがない時計手段と、記憶手段とを有する被管理装置を制御するコンピュータに、電源投入後、前記時計手段に仮時刻を設定する仮時刻設定機能と、該機能による仮時刻設定後、外部から時刻を取得する時刻取得機能と、前記時計手段の仮時刻を前記時刻取得機能によって取得した時刻に補正する時計時刻補正機能と、他の被管理装置から定期的に所要の情報を取得する情報取得機能と、該機能によって取得した情報を前記時計手段の時刻と関連付けて前記記憶手段に書き込む情報書込機能と、前記時刻取得機能によって取得した時刻と前記時計手段の仮時刻とに基づいて前記記憶手段内の各種情報にそれぞれ関連付けられた各時刻を補正する情報時刻補正手段と、該機能による時刻補正が完了した後、前記記憶手段内の各種情報のうち、予め指定された送信時刻に最も近い時刻が関連付けられている情報を前記管理装置へ送信する情報送信機能とを実現させるためのプログラム。
【請求項１７】
請求項１６記載のプログラムにおいて、
前記コンピュータに、前記情報時刻補正機能による時刻補正が完了するまで、前記情報送信機能による前記記憶手段内の各種情報の送信を禁止する送信禁止機能をも実現させるためのプログラム。
【手続補正２】
【補正対象書類名】明細書
【補正対象項目名】発明の名称
【補正方法】変更
【補正の内容】
【発明の名称】遠隔管理システムとその被管理装置，およびプログラム
【手続補正３】
【補正対象書類名】明細書
【補正対象項目名】００１０
【補正方法】変更
【補正の内容】
【００１０】
この発明は、上記の目的を達成するため、遠隔管理システム、被管理装置、被管理装置を制御するコンピュータに必要な機能を実現させるためのプログラムを提供する。
請求項１の発明による被管理装置は、電源バックアップがない時計手段と、該手段の時刻が予め指定された送信時刻に達したとき、所要の情報を通信回線経由で管理装置へ送信する情報送信手段とを有する被管理装置であって、電源投入後、上記時計手段に仮時刻を設定する仮時刻設定手段と、該手段による仮時刻設定後、外部から時刻を取得する時刻取得手段と、上記時計手段の仮時刻を上記時刻取得手段によって取得した時刻に補正する時計時刻補正手段とを設けたものである。
【手続補正４】
【補正対象書類名】明細書
【補正対象項目名】００１３
【補正方法】変更
【補正の内容】
【００１３】
請求項７の発明による被管理装置は、請求項１〜６のいずれかの被管理装置において、上記時刻取得手段を、上記管理装置又は他の被管理装置から時刻を取得する手段としたものである。
請求項８の発明による被管理装置は、請求項７の被管理装置において、上記時刻取得手段に、時刻取得要求を上記管理装置又は他の被管理装置へ通知する手段と、該手段によって上記管理装置又は他の被管理装置へ通知すべき時刻取得要求を構造化言語形式に変換する手段とを備えたものである。
【手続補正５】
【補正対象書類名】明細書
【補正対象項目名】００１４
【補正方法】変更
【補正の内容】
【００１４】
請求項９の発明による遠隔管理システムは、管理装置により通信回線および仲介装置経由で複数の各被管理装置を遠隔管理する遠隔管理システムであって、上記仲介装置に、電源バックアップがない時計手段と、記憶手段と、上記各被管理装置から定期的に所要の情報を取得する情報取得手段と、該手段によって取得した情報を上記時計手段の時刻と関連付けて上記記憶手段に書き込む情報書込手段と、上記時計手段の時刻が予め指定された送信時刻に達したとき、上記記憶手段内の対応する情報を上記管理装置へ送信する情報送信手段と、電源投入後、上記時計手段に仮時刻を設定する仮時刻設定手段と、該手段による仮時刻設定後、上記管理装置から時刻を取得する時刻取得手段と、上記時計手段の仮時刻を上記時刻取得手段によって取得した時刻に補正する時計時刻補正手段とを設けたことを特徴とする遠隔管理システム。
【手続補正６】
【補正対象書類名】明細書
【補正対象項目名】００１５
【補正方法】変更
【補正の内容】
【００１５】
請求項１０の発明による遠隔管理システムは、請求項９の遠隔管理システムにおいて、上記仲介装置に、上記時刻取得手段によって取得した時刻と上記時計手段の仮時刻とに基づいて上記記憶手段内の各種情報にそれぞれ関連付けられた各時刻を補正する情報時刻補正手段を設け、上記仲介装置の情報送信手段に、上記情報時刻補正手段による時刻補正が完了した後、上記記憶手段内の各種情報のうち、上記送信時刻に最も近い時刻が関連付けられている情報を上記管理装置へ送信する手段を備えたものである。
請求項１１の発明による遠隔管理システムは、請求項１０の遠隔管理システムにおいて、上記仲介装置の情報書込手段が、上記時計時刻補正手段による時刻補正が完了する前に、上記情報取得手段による情報の取得が行われた場合には、該情報を上記時計手段の仮時刻と関連付けて上記記憶手段に書き込むものである。
【手続補正７】
【補正対象書類名】明細書
【補正対象項目名】００１６
【補正方法】変更
【補正の内容】
【００１６】
請求項１２の発明による遠隔管理システムは、請求項１０又は１１の遠隔管理システムにおいて、上記仲介装置の情報時刻補正手段が、上記時刻取得手段によって取得した時刻と上記時計手段の仮時刻との時間差を算出する時間差算出手段を備え、該手段によって算出された時間差に基づいて上記記憶手段内の各種情報にそれぞれ関連付けられた各時刻を補正するものである。
請求項１３の発明による遠隔管理システムは、請求項１０〜１２のいずれかの遠隔管理システムにおいて、上記仲介装置に、上記情報時刻補正手段による時刻補正が完了するまで、上記情報送信手段による上記記憶手段内の各種情報の送信を禁止する送信禁止手段を設けたものである。
請求項１４の発明による遠隔管理システムは、請求項９〜１３のいずれかの遠隔管理システムにおいて、上記仲介装置の時刻取得手段に、時刻取得要求を上記管理装置へ通知する手段と、該手段によって上記管理装置へ通知すべき時刻取得要求を構造化言語形式に変換する手段とを備えたものである。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
請求項１５の発明によるプログラムは、電源バックアップがない時計手段と、記憶手段とを有する被管理装置を制御するコンピュータに、電源投入後、上記時計手段に仮時刻を設定する仮時刻設定機能と、該機能による仮時刻設定後、外部から時刻を取得する時刻取得機能と、上記時計手段の仮時刻を上記時刻取得機能によって取得した時刻に補正する時計時刻補正機能と、該機能による時刻補正が完了した後、上記時計手段の時刻が予め指定された送信時刻に達したとき、上記記憶手段内の所要の情報を通信回線経由で管理装置へ送信する情報送信機能とを実現させるためのプログラムである。
【手続補正１１】
【補正対象書類名】明細書
【補正対象項目名】００２０
【補正方法】変更
【補正の内容】
【００２０】
請求項１６の発明によるプログラムは、電源バックアップがない時計手段と、記憶手段とを有する被管理装置を制御するコンピュータに、電源投入後、上記時計手段に仮時刻を設定する仮時刻設定機能と、該機能による仮時刻設定後、外部から時刻を取得する時刻取得機能と、上記時計手段の仮時刻を上記時刻取得機能によって取得した時刻に補正する時計時刻補正機能と、他の被管理装置から定期的に所要の情報を取得する情報取得機能と、該機能によって取得した情報を上記時計手段の時刻と関連付けて上記記憶手段に書き込む情報書込機能と、上記時刻取得機能によって取得した時刻と上記時計手段の仮時刻とに基づいて上記記憶手段内の各種情報にそれぞれ関連付けられた各時刻を補正する情報時刻補正手段と、該機能による時刻補正が完了した後、上記記憶手段内の各種情報のうち、予め指定された送信時刻に最も近い時刻が関連付けられている情報を上記管理装置へ送信する情報送信機能とを実現させるためのプログラムである。
【手続補正１２】
【補正対象書類名】明細書
【補正対象項目名】００２１
【補正方法】変更
【補正の内容】
【００２１】
請求項１７の発明によるプログラムは、請求項１６のプログラムにおいて、上記コンピュータに、上記情報時刻補正機能による時刻補正が完了するまで、上記情報送信機能による上記記憶手段内の各種情報の送信を禁止する送信禁止機能をも実現させるためのプログラムである。